(57)【要約】【課題】  映像表示装置に接続された映像出力装置のリモコンの誤操作によって、映像出力装置が意図しない動作をするのを防ぐことを目的とする。【解決手段】  本発明の映像出力装置１２１では、制御部１１６は、自装置（映像出力装置１２１）の出力映像が映像表示装置１０１の表示部１０５に表示されている場合は、リモコン１３２による映像出力装置１２１の動作の制御を制限すべきではないと判別する。そして、映像出力装置１２１をリモコン制限解除モードに設定する。一方、自装置（映像出力装置１２１）の出力映像が映像表示装置１０１の表示部１０５に表示されてない場合は、リモコン１３２による映像出力装置１２１の動作の制御を制限すべきであると判別する。そして、映像出力装置１２１をリモコン制限モードに設定する。【選択図】  図１
2010283749.tif 000002
【特許請求の範囲】
【請求項１】
映像表示装置と接続され、リモコンにより遠隔操作可能な映像出力装置であって、
リモコンからの指示信号を受信するリモコン受信手段と、
前記リモコン受信手段により受信された指示信号に応じて、前記映像出力装置の動作を制御する制御手段と、
前記映像表示装置で表示されている映像に対応する機器の識別情報を、前記映像表示装置から取得する通信手段とを備え、
前記制御手段は、前記通信手段により取得された識別情報が前記映像出力装置の識別情報と異なる場合は、前記リモコンからの指示信号に応じた前記映像出力装置の動作を制限し、前記通信手段により取得された識別情報が前記映像出力装置の識別情報と同じである場合は、前記制限を解除することを特徴とする映像出力装置。
【請求項２】
前記制御手段は、前記映像出力装置が電源オンの状態で、前記リモコンからの指示信号に応じた前記映像出力装置の動作を制限した場合、電源オフの指示信号以外は無効とすることを特徴とする請求項１に記載の映像出力装置。
【請求項３】
前記識別情報は、ＨＤＭＩ規格で定められるフィジカルアドレスであり、
前記通信手段は、「Ａｃｔｉｖｅ  Ｓｏｕｒｃｅ」コマンドの引数を解析して前記フィジカルアドレスを取得することを特徴とする請求項１または請求項２のいずれかに記載の映像出力装置。
【請求項４】
リモコンにより遠隔操作可能な映像出力装置に接続され、映像を表示する表示部を備える映像表示装置であって、
前記映像出力装置との間で通信を行う通信手段と、
前記表示部に表示されている映像に対応する機器を判別する表示機器判別手段と、
前記映像出力装置が前記表示部に表示されている映像に対応する機器でないと判別された場合は、前記映像出力装置に対して前記リモコンによる遠隔操作を制限するための制御信号を送信し、前記映像出力装置が前記表示部に表示されている映像に対応する機器であると判別された場合は、前記映像出力装置に対して前記制限を解除するための制御信号を送信するように前記通信手段を制御する制御手段とを備える映像表示装置。
【請求項５】
前記通信手段は、ＨＤＭＩ規格で定められるＴＭＤＳラインを用いて前記映像出力装置から映像信号を受信し、ＨＤＭＩ規格で定められるＣＥＣラインを用いて前記制御信号を送信することを特徴とする請求項４に記載の映像表示装置。
【請求項６】
映像表示装置と接続され、リモコンにより遠隔操作可能な映像出力装置の制御方法であって、
リモコンからの指示信号を受信するリモコン受信ステップと、
前記リモコン受信ステップで受信した指示信号に応じて、前記映像出力装置の動作を制御する制御ステップと、
前記映像表示装置で表示されている映像に対応する機器の識別情報を、前記映像表示装置から取得する通信ステップとを有し、
前記制御ステップは、前記通信ステップで取得した識別情報が前記映像出力装置の識別情報と異なる場合は、前記リモコンからの指示信号に応じた前記映像出力装置の動作を制限し、前記通信ステップで取得した識別情報が前記映像出力装置の識別情報と同じである場合は、前記制限を解除することを特徴とする映像出力装置の制御方法。
【請求項７】
リモコンにより遠隔操作可能な映像出力装置に接続され、映像を表示する表示部を備える映像表示装置の制御方法であって、
前記映像出力装置との間で通信を行う通信ステップと、
前記表示部に表示されている映像に対応する機器を判別する表示機器判別ステップと、
前記映像出力装置が前記表示部に表示されている映像に対応する機器でないと判別された場合は、前記映像出力装置に対して前記リモコンによる遠隔操作を制限するための制御信号を送信し、前記映像出力装置が前記表示部に表示されている映像に対応する機器であると判別された場合は、前記映像出力装置に対して前記制限を解除するための制御信号を送信するように制御する制御ステップとを有する映像表示装置の制御方法。
【発明の詳細な説明】
【技術分野】
【０００１】
本発明は、リモコンにより遠隔操作可能な映像出力装置およびその制御方法、映像表示装置およびその制御方法に関する。
【背景技術】
【０００２】
テレビ装置などの映像表示装置には、多くの機器が接続できるようになってきており、例えば、レコーダ、ビデオカメラ、デジタルカメラなどの様々な映像出力装置が接続される。各接続機器には専用のリモコンが付属しているため、接続機器の数が増えればリモコンの数も増える。
【０００３】
近年、テレビ装置にレコーダなどの接続機器をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルで接続し、テレビ装置のリモコンを用いて接続機器を操作できるシステムが普及してきている。ＨＤＭＩ規格で規定されているＣＥＣコマンドを利用して、テレビ装置のリモコンで接続機器の電源をオン／オフ操作したり、再生／停止などの簡単な操作をしたりすることができる。
【０００４】
しかし、テレビ装置のリモコンで操作可能な機能は限られているため、接続機器の複雑な機能を使用するような場合は、接続機器のリモコンで操作する必要がある。このため、用途に応じてテレビ装置のリモコンと接続機器のリモコンとを使い分けるユーザも多い。複数のリモコンがあると、ユーザの不注意によって若しくは無自覚に、操作対象ではない接続機器のリモコンを誤って操作してしまうという問題がある。
【０００５】
下記の特許文献１には、複数のリモコンが１つの映像視聴装置と対応付けられており、複数のリモコンのうち１つのリモコンのみが映像視聴装置を制御可能とする構成が開示されている。制御権を有するリモコンの使用者が、映像視聴装置の近傍に存在していない場合には、制御権を有しないリモコンの使用者が制御権を取得することを望めば、制御権を有しないリモコンの使用者が制御権を取得することができる。
【先行技術文献】
【特許文献】
【０００６】
【特許文献１】特開２００３−２７４２１３号公報
【発明の概要】
【発明が解決しようとする課題】
【０００７】
しかしながら、上記特許文献１は、複数のリモコンが１つの映像視聴装置と対応付けられていることを前提としているため、操作対象ではない接続機器のリモコンが誤って操作された場合の問題は解決されない。例えば、テレビ装置に接続された映像出力装置からの出力映像がテレビ装置の画面に表示されていない状態で、映像出力装置のリモコンを誤操作した場合、ユーザが気づかないまま映像出力装置が意図しない動作をしてしまうことになる。
【０００８】
そこで、本発明は、映像表示装置に接続された映像出力装置のリモコンの誤操作によって、映像出力装置が意図しない動作をするのを防ぐことを目的とする。
【課題を解決するための手段】
【０００９】
上述した課題を解決するために、本発明に係る映像出力装置は、映像表示装置と接続され、リモコンにより遠隔操作可能な映像出力装置であって、リモコンからの指示信号を受信するリモコン受信手段と、前記リモコン受信手段により受信された指示信号に応じて、前記映像出力装置の動作を制御する制御手段と、前記映像表示装置で表示されている映像に対応する機器の識別情報を、前記映像表示装置から取得する通信手段とを備える。前記制御手段は、前記通信手段により取得された識別情報が前記映像出力装置の識別情報と異なる場合は、前記リモコンからの指示信号に応じた前記映像出力装置の動作を制限し、前記通信手段により取得された識別情報が前記映像出力装置の識別情報と同じである場合は、前記制限を解除する。
【００１０】
また、本発明に係る映像表示装置は、リモコンにより遠隔操作可能な映像出力装置に接続され、映像を表示する表示部を備える映像表示装置であって、前記映像出力装置との間で通信を行う通信手段と、前記表示部に表示されている映像に対応する機器を判別する表示機器判別手段と、前記映像出力装置が前記表示部に表示されている映像に対応する機器でないと判別された場合は、前記映像出力装置に対して前記リモコンによる遠隔操作を制限するための制御信号を送信し、前記映像出力装置が前記表示部に表示されている映像に対応する機器であると判別された場合は、前記映像出力装置に対して前記制限を解除するための制御信号を送信するように前記通信手段を制御する制御手段とを備える。
【発明の効果】
【００１１】
本発明によれば、映像表示装置に接続された映像出力装置のリモコンが誤って操作された場合に、映像出力装置の動作を制限することにより、映像出力装置が意図しない動作をするのを防ぐことが可能となる。
【図面の簡単な説明】
【００１２】
【図１】本発明の実施の形態１に係る映像表示装置および映像出力装置の構成を示すブロック図である。
【図２】入力切替時の映像表示装置の動作について説明するためのフローチャートである。
【図３】入力切替時の映像出力装置の動作について説明するためのフローチャートである。
【図４】本発明の実施の形態２における入力切替時の映像表示装置の動作について説明するためのフローチャートである。
【図５】本発明の実施の形態２における入力切替時の映像出力装置の動作について説明するためのフローチャートである。
【図６】本発明の実施の形態２の変更例における入力切替時の映像表示装置の動作について説明するためのフローチャートである。
【図７】本発明の実施の形態２の変更例における入力切替時の映像出力装置の動作について説明するためのフローチャートである。
【発明を実施するための形態】
【００１３】
以下、図面を用いて本発明の実施の形態について説明する。
【００１４】
（実施の形態１）
図１は、本発明の実施の形態１に係る映像表示装置および映像出力装置の構成を示すブロック図である。映像表示装置１０１は、受信部１０２、分離／復号部１０３、出力部１０４、表示部１０５、表示機器判別部１０６、通信部１０７、リモコン受信部１０８、制御部１０９、およびメモリ１４１を備える。映像出力装置１２１は、受信部１１０、コーデック部１１１、記録部１１２、通信部１１３、リモコン受信部１１４、モード設定部１１５、制御部１１６、およびメモリ１４２を備える。映像表示装置１０１は、リモコン１３１により遠隔操作可能であり、映像出力装置１２１は、リモコン１３２により遠隔操作可能である。映像表示装置１０１には、映像出力装置１２１−１２３がそれぞれＨＤＭＩケーブルで接続される。
【００１５】
まず、映像表示装置１０１の構成について説明する。受信部１０２は、アンテナを介してデジタル放送信号を受信して、選局処理、復調処理・誤り訂正処理等を施し、トランスポートストリーム（ＴＳ）を出力する。分離／復号部１０３は、受信部１０２からのトランスポートストリームを、映像信号、音声信号、データ信号に分離し、それぞれの信号に復号化（デコード）処理を施す。出力部１０４は、分離／復号部１０３から入力された映像信号、または映像出力装置１２１−１２３から通信部１０７を介して入力された映像信号を表示部１０５に出力する。
【００１６】
表示機器判別部１０６は、表示部１０５に表示されている映像に対応する機器を判別する。具体的には、分離／復号部１０３および映像出力装置１２１−１２１から入力される映像信号のうち、どの映像信号を出力部１０４が表示部１０５に出力しているかを判別する。そして、表示部１０５に表示されている映像信号を出力している機器の識別情報（フィジカルアドレス）を、通信部１０７を介して、映像出力装置１２１−１２３に通知する。これらの動作については、図２を用いて、後で詳細に説明する。
【００１７】
通信部１０７は、接続されている映像出力装置１２１−１２３との間で通信を行う。具体的には、ＨＤＭＩ−ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインで転送される、映像出力装置１２１−１２３からの映像信号および音声信号を受信する。また、ＨＤＭＩ−ＣＥＣ（Ｃｏｎｓｕｍｅｒ  Ｅｌｅｃｔｒｏｎｉｃｓ  Ｃｏｎｔｒｏｌ）ラインを用いて、映像出力装置１２１−１２３との間で制御コマンドの送受信を行う。また、ＨＤＭＩ−ＤＤＣ（Ｄｉｓｐｌａｙ  Ｄａｔａ  Ｃａｎｎｅｌ）ラインを用いて、映像出力装置１２１−１２３との間で各種機器情報等の送受信を行う。
【００１８】
リモコン受信部１０８は、映像表示装置１０１のリモコン１３１からの指示信号を受信し、制御部１０９に伝達する。制御部１０９は、リモコン１３１からの指示信号を解析し、各機能ブロックの動作を制御する。
【００１９】
次に、映像出力装置１２１の構成について説明する。受信部１１０は、アンテナを介してデジタル放送信号を受信して、選局処理、復調処理・誤り訂正処理等を施し、トランスポートストリーム（ＴＳ）を出力する。コーデック部１１１は、受信部１１０からのトランスポートストリームを、映像信号、音声信号、データ信号に分離し、それぞれの信号に復号化（デコード）処理を施す。また、録画時は、トランスポートストリームにパケットを追加または削除して、蓄積用ストリームを作成する。記録部１１２には、コーデック部１１１で作成された蓄積用ストリームが録画コンテンツとして保存される。再生時には、記録部１１２から録画コンテンツが読み出され、コーデック部１１１で必要な処理が施される。
【００２０】
通信部１１３は、接続されている映像表示装置１０１との間で通信を行う。具体的には、記録部１１２から読み出された録画コンテンツの映像信号および音声信号を、ＨＤＭＩ−ＴＭＤＳラインで映像表示装置１０１へ送信する。また、ＨＤＭＩ−ＣＥＣラインを用いて、映像表示装置１０１との間で制御コマンドの送受信を行う。また、ＨＤＭＩ−ＤＤＣ（Ｄｉｓｐｌａｙ  Ｄａｔａ  Ｃａｎｎｅｌ）ラインを用いて、映像表示装置１０１との間で各種機器情報等の送受信を行う。
【００２１】
リモコン受信部１１４は、映像出力装置１２１のリモコン１３２からの指示信号を受信し、制御部１１６に伝達する。モード設定部１１５は、リモコン制限モード／リモコン制限解除モードの設定を行う。制御部１１６は、リモコン１３２からの指示信号を解析し、各機能ブロックの動作を制御する。制御部１１６は、リモコン制限モード時にリモコン受信部１１４からのリモコン指示信号を取捨選択するリモコン指示判定部を含む。これらの動作については、図３を用いて、後で詳細に説明する。
【００２２】
次に、ＨＤＭＩ規格で規定されているフィジカルアドレス（物理アドレス）の割り当て処理について説明する。映像表示装置１０１には、フィジカルアドレス「０．０．０．０」が予め設定されている。映像表示装置１０１と映像出力装置１２１とがＨＤＭＩケーブルで接続されると、通信部１０７と通信部１１３との間でＨＰＤ（Ｈｏｔ−Ｐｌｕｇ  Ｄｅｔｅｃｔ）信号の検出処理が行われる。映像出力装置１２１の通信部１１３は、ＨＰＤ信号がＨｉｇｈレベルにされたことを検出すると、ＤＤＣラインを用いて、映像表示装置１０１のＥＤＩＤ（Ｅｘｔｅｎｄｅｄ  Ｄｉｓｐｌａｙ  Ｉｄｅｎｔｉｆｉｃａｔｉｏｎ  Ｄａｔａ）メモリ１４１のフィジカルアドレス格納領域にアクセスする。
【００２３】
フィジカルアドレスは、ＨＤＭＩのポート番号に対応付けられている。具体的には、映像表示装置１０１のＨＤＭＩの入力ポート１に接続された映像出力装置１２１には、フィジカルアドレス「１．０．０．０」が割り当てられる。また、映像表示装置１０１のＨＤＭＩの入力ポート２に接続された映像出力装置１２２には、フィジカルアドレス「２．０．０．０」が割り当てられる。映像表示装置１０１のＨＤＭＩの入力ポート３に接続された映像出力装置１２３には、フィジカルアドレス「３．０．０．０」が割り当てられる。
【００２４】
映像出力装置１２１の通信部１１３は、映像表示装置１０１のＥＤＩＤメモリ１４１から読み出したフィジカルアドレス「１．０．０．０」を、メモリ１４２に保存する。その後、通信部１１３は、映像出力装置１２１のロジカルアドレス（論理アドレス）の取得処理を行う。ロジカルアドレスの取得完了後、映像表示装置１０１と映像出力装置１２１との間で、各種連携制御を行うことができるようになる。
【００２５】
次に、本発明の特徴となるリモコン制限モード／制限解除モードの設定方法について詳細に説明する。映像表示装置１０１のリモコン１３１をユーザが操作して入力切替の指示をした場合を想定する。
【００２６】
図２は、入力切替時の映像表示装置１０１の動作について説明するためのフローチャートである。ステップＳ２０１で、制御部１０９は、ユーザによる入力切替の指示があったか否かを判別する。入力切替の指示があった場合は、ステップＳ２０１からステップＳ２０２に進む。
【００２７】
ステップＳ２０２で、表示機器判別部１０６は、入力切替後に表示部１０５に表示される映像に対応する機器が、映像表示装置１０１、映像出力装置１２１−１２３のどれであるかを判別する。具体的には、入力切替先の機器を選択するためのメニュー画面から、ユーザがカーソルキーで入力切替先の機器を１つ選択した場合、選択された入力切替先の機器を判別する。また、ユーザが入力切替ボタンを押下して、映像表示装置１０１のＨＤＭＩの入力ポート１―３に接続された機器を順次選択する場合は、入力切替後に選択される入力ポートに接続された機器を判別する。なお、マルチ画面表示の場合は、表示部１０５に表示される映像に対応する機器が複数存在することになる。
【００２８】
次に、ステップＳ２０３で、表示機器判別部１０６は、入力切替後に表示部１０５に表示される映像に対応する機器の識別情報（フィジカルアドレス）をＥＤＩＤメモリ１４１から取得する。表示部１０５に表示されている映像に対応する機器が映像表示装置１０１自身である場合は、映像表示装置１０１のフィジカルアドレス「０．０．０．０」が取得される。また、例えば表示部１０５に表示されている映像に対応する機器が映像出力装置１２１である場合は、映像出力装置１２１のフィジカルアドレス「１．０．０．０」が取得される。
【００２９】
続いて、ステップＳ２０４で、通信部１０７は、表示機器判別部１０６が取得したフィジカルアドレスを、ＣＥＣコマンドの１つである「Ａｃｔｉｖｅ  Ｓｏｕｒｃｅ」コマンドの引数に設定する。そして、ＨＤＭＩケーブルで接続されている全ての機器（映像出力装置１２１−１２３）に対して、ＨＤＭＩ−ＣＥＣラインを用いて「Ａｃｔｉｖｅ  Ｓｏｕｒｃｅ」コマンドを送信する。
【００３０】
図３は、入力切替時の映像出力装置１２１の動作について説明するためのフローチャートである。ステップＳ３０１で、映像出力装置１２１の通信部１１３は、映像表示装置１０１の通信部１０７から送信される「Ａｃｔｉｖｅ  Ｓｏｕｒｃｅ」コマンドを受信したか否かを判別する。「Ａｃｔｉｖｅ  Ｓｏｕｒｃｅ」コマンドを受信した場合は、ステップＳ３０１からステップＳ３０２に進む。  
【００３１】
ステップＳ３０２で、通信部１１３は、受信した「Ａｃｔｉｖｅ  Ｓｏｕｒｃｅ」コマンドの引数を解析して、つまり映像表示装置１０１の表示部１０５に表示されている映像に対応する機器のフィジカルアドレスを取得する。
【００３２】
ステップＳ３０３で、制御部１１６は、通信部１１３により取得されたフィジカルアドレスと、メモリ１４２に格納されている自装置のフィジカルアドレス「１．０．０．０」とを比較する。そして、映像表示装置１０１の表示部１０５に表示されている映像に対応する機器のフィジカルアドレスと、自装置（映像出力装置１２１）のフィジカルアドレスとが一致するか否かを判別する。
【００３３】
一致すると判別された場合は、ステップＳ３０３からステップＳ３０４に進み、制御部１１６は、モード設定部１１５の設定モードをリモコン制限解除モードにする。一致しないと判別された場合は、ステップＳ３０３からステップＳ３０５に進み、制御部１１６は、モード設定部１１５の設定モードをリモコン制限モードにする。このように、制御部１１６は、映像表示装置１０１の表示部１０５における表示状態に応じて、リモコン１３２による映像出力装置１２１の遠隔操作を制限すべきか否かを判別する。具体的には、制御部１１６は、自装置（映像出力装置１２１）の出力映像が映像表示装置１０１の表示部１０５に表示されている場合は、リモコン１３２による映像出力装置１２１の動作の制御を制限すべきではないと判別する。そして、映像出力装置１２１をリモコン制限解除モードに設定する。一方、自装置（映像出力装置１２１）の出力映像が映像表示装置１０１の表示部１０５に表示されてない場合は、リモコン１３２による映像出力装置１２１の動作の制御を制限すべきであると判別する。そして、映像出力装置１２１をリモコン制限モードに設定する。
【００３４】
なお、モード設定部１１５は、デフォルト状態ではリモコン制限解除モードに設定しているものとする。つまり、「Ａｃｔｉｖｅ  Ｓｏｕｒｃｅ」コマンドが受信される前はリモコン制限解除モードに設定されているものとする。ただし、ユーザが任意にモードを設定変更できるものとしてもよい。また、映像出力装置１２１の起動状態に応じて、設定モードが自動的に切り替わる構成、例えば電源オフ（又はスタンバイ）状態ではリモコン制限モードに設定され、電源オン状態ではリモコン制限解除モードに設定される構成であってもよい。
【００３５】
リモコン制限解除モードにおいて、制御部１１６内のリモコン指示判定部は、リモコン受信部１１４からのリモコン指示信号を全て有効と判断する。この場合、制御部１１６は、リモコン指示信号に従って、映像出力装置１２１の各機能ブロックの動作を制御する。
【００３６】
リモコン制限モードにおいて、制御部１１６内のリモコン指示判定部は、リモコン受信部１１４からのリモコン指示信号のうち、映像出力装置１２１の電源オン／オフの指示信号のみを有効と判断し、それ以外は無効と判断する。つまり、制御部１１６は、映像出力装置１２１の電源オン／オフの指示信号を受信した場合のみ、リモコン指示信号に従って、映像出力装置１２１の動作の制御を行う。具体的には、電源オフ（又はスタンバイ）状態でリモコン制限モードに設定されている場合は、映像出力装置１２１の電源オンの指示信号のみを有効と判断する。電源オン状態でリモコン制限モードに設定されている場合は、映像出力装置１２１の電源オフの指示信号のみを有効と判断する。電源オン／オフ以外の指示信号を受信した場合は、リモコン指示信号に従った制御は行わない。つまり、映像出力装置１２１の電源オン／オフの動作以外の制御は無効とする。ただし、映像出力装置１２１の電源オン／オフの指示信号だけではなく、他の所定の指示信号も有効と判断するようにしてもよい。例えば、ユーザが映像出力装置１２１のリモコン１３２を操作し、ＣＥＣコマンドを利用して映像表示装置１０１の動作を連携制御できる構成の場合は、ＣＥＣコマンドを利用した連携制御に関わる指示信号も有効としてもよい。また、リモコン受信部１１４からのリモコン指示信号を全て無効と判断するようにしてもよい。
【００３７】
したがって、この実施の形態１では、映像表示装置に接続された映像出力装置のリモコンが誤って操作された場合に、映像出力装置の動作を制限することにより、映像出力装置が意図しない動作をするのを防ぐことが可能となる。例えば、映像出力装置１２１からの出力映像が映像表示装置１０１の表示部１０５に表示されていない状態で、ユーザが映像出力装置１２１のリモコン１３２を誤操作した場合、リモコン操作は無効とされる。したがって、ユーザが気づかないまま、映像出力装置１２１がユーザの意図しない動作をするのを防ぐことができる。具体例として、映像出力装置１２１からの出力映像が映像表示装置１０１の表示部１０５に表示された状態で、映像出力装置１２１のリモコン１３２をユーザが意図的に操作して放送番組を録画し始めた場合を想定する。そして、ユーザが映像表示装置１０１のリモコン１３１を操作して入力切替を行い、表示部１０５に映像表示装置１０１の分離／復号部１０３からの出力映像を表示した状態に切り替えたとする。この場合、リモコン制限解除モードからリモコン制限モードへ設定変更される。このように、映像出力装置１２１からの出力映像が映像表示装置１０１の表示部１０５に表示されていない状態では、映像出力装置１２１の電源オフの指示信号以外は無効とされる。このため、映像出力装置１２１のリモコン１３２の録画停止ボタンをユーザが誤操作しても、録画は停止されない。また、リモコン１３２の再生ボタンや早送りボタン等、電源ボタン以外のボタンをユーザが誤操作しても、無効とされる。したがって、ユーザが気づかないまま、映像出力装置１２１がユーザの意図しない動作をするのを防ぐことができるため、利便性が向上する。
【００３８】
（実施の形態２）
この実施の形態２に係る映像表示装置および映像出力装置の構成は、実施の形態１において図１に示した構成と同様である。ただし、リモコン制限モード／制限解除モードの設定方法が実施の形態１と異なる。実施の形態１では、映像出力装置１２１の制御部１１６が、映像表示装置１０１の表示部１０５における表示状態に応じて、リモコン１３２による映像出力装置１２１の遠隔操作を制限すべきか否かを判別する。これに対し、この実施の形態２では、映像表示装置１０１の制御部１０９が、表示部１０５における表示状態に応じて、どの機器のリモコンによる遠隔操作を制限すべきかを判別する。そして、映像表示装置１０１から映像出力装置に対して、リモコンによる遠隔操作を制限／制限解除するための制御コマンド（制御信号）を送信する。ここで、映像表示装置１０１のリモコン１３１をユーザが操作して入力切替の指示をした場合を想定する。
【００３９】
図４は、本発明の実施の形態２における入力切替時の映像表示装置１０１の動作について説明するためのフローチャートである。ステップＳ４０１〜Ｓ４０３の動作は、図２のステップＳ２０１〜Ｓ２０３の動作と同様であるため、ここでは説明は繰り返さない。
【００４０】
ステップＳ４０４で、制御部１０９は、表示機器判別部１０６が取得したフィジカルアドレスに対応する機器のリモコンによる遠隔操作は制限すべきではないと判別し、通信部１０７から制限解除モード設定制御コマンドを送信するように制御する。通信部１０７は、映像出力装置１２１−１２３のうち、表示機器判別部１０６が取得したフィジカルアドレスに対応する機器に対して、リモコン制限解除モードへの設定を指示するＣＥＣコマンドを送信する。具体的には、映像表示装置１０１の表示部１０５に表示されている映像に対応する機器に対して、ＨＤＭＩ−ＣＥＣラインを用いて、ベンダーユニークな制限解除モード設定制御コマンド（“ＣＨＳＴ＿ＡＣＴＩＶＥ”コマンド）を送信する。
【００４１】
また、制御部１０９は、表示機器判別部１０６が取得したフィジカルアドレスに対応しない機器のリモコンによる遠隔操作は制限すべきであると判別し、通信部１０７から制限モード設定制御コマンドを送信するように制御する。通信部１０７は、映像出力装置１２１−１２３のうち、表示機器判別部１０６が取得したフィジカルアドレスに対応しない機器に対して、リモコン制限モードへの設定を指示するＣＥＣコマンドを送信する。具体的には、映像表示装置１０１の表示部１０５に表示されている映像に対応しない機器に対して、ＨＤＭＩ−ＣＥＣラインを用いて、ベンダーユニークな制限モード設定制御コマンド（“ＣＨＳＴ＿ＮＯＮ＿ＡＣＴＩＶＥ”コマンド）を送信する。
【００４２】
図５は、本発明の実施の形態２における入力切替時の映像出力装置１２１の動作について説明するためのフローチャートである。ステップＳ５０１で、映像出力装置１２１の通信部１１３は、映像表示装置１０１の通信部１０７から送信されるモード設定制御コマンド（制限解除モード設定制御コマンドまたは制限モード設定制御コマンド）を受信したか否かを判別する。モード設定制御コマンドを受信した場合は、受信したコマンドを制御部１１６に伝達し、ステップＳ５０１からステップＳ５０２に進む。
【００４３】
ステップＳ５０２で、制御部１１６は、受信したモード設定制御コマンドを解析し、制限解除モード設定制御コマンド（“ＣＨＳＴ＿ＡＣＴＩＶＥ”コマンド）であるか否かを判別する。制限解除モード設定制御コマンドであると判別された場合は、ステップＳ５０２からステップＳ５０３に進み、制御部１１６は、モード設定部１１５の設定モードをリモコン制限解除モードにする。制限解除モード設定制御コマンドでないと判別された場合は、ステップＳ５０２からステップＳ５０４に進み、制御部１１６は、モード設定部１１５の設定モードをリモコン制限モードにする。
【００４４】
なお、モード設定部１１５は、デフォルト状態ではリモコン制限解除モードに設定しているものとする。つまり、モード設定制御コマンドが受信される前はリモコン制限解除モードに設定されているものとする。ただし、ユーザが任意にモードを設定変更できるものとしてもよい。また、映像出力装置１２１の起動状態に応じて、設定モードが自動的に切り替わる構成、例えば電源オフ（又はスタンバイ）状態ではリモコン制限モードに設定され、電源オン状態ではリモコン制限解除モードに設定される構成であってもよい。
【００４５】
なお、リモコン制限解除モードおよびリモコン制限モードにおける映像出力装置１２１内の動作は、実施の形態１で説明した動作と同様であるため、ここでは説明は繰り返さない。
【００４６】
したがって、この実施の形態２では、実施の形態１と同様に映像表示装置に接続された映像出力装置のリモコンが誤って操作された場合に、映像出力装置の動作を制限することにより、映像出力装置が意図しない動作をするのを防ぐことが可能となる。
【００４７】
（実施の形態２の変更例）
この実施の形態２の変更例に係る映像表示装置および映像出力装置の構成は、実施の形態１において図１に示した構成と同様である。ただし、映像表示装置１０１と映像出力装置１２１−１２３とが、ＵＳＢ（Ｕｎｉｖｅｒｓａｌ  Ｓｅｒｉａｌ  Ｂｕｓ）ケーブルで接続されるものとする。通信部１０７，１１３はＵＳＢ通信機能を有し、通信部１０７はルートハブ機能を有するＵＳＢホスト装置として動作して、外部機器接続時に各機器固有のアドレスを割り当て、メモリ１４１に保存する。通信部１０７は、ＵＳＢケーブルを介して、映像出力装置１２１−１２３からの映像信号および音声信号を受信する。また、映像出力装置１２１−１２３との間で制御データ（制御信号）や各種機器情報等の送受信を行う。
【００４８】
図６は、本発明の実施の形態２の変更例における入力切替時の映像表示装置１０１の動作について説明するためのフローチャートである。ステップＳ６０１〜Ｓ６０２の動作は、図２のステップＳ２０１〜Ｓ２０２の動作と同様であるため、ここでは説明は繰り返さない。
【００４９】
ステップＳ６０３で、表示機器判別部１０６は、入力切替後に表示部１０５に表示される映像に対応する機器の識別情報（固有アドレス）をメモリ１４１から取得する。
【００５０】
ステップＳ６０４で、制御部１０９は、表示部１０５に表示される映像に対応する機器の固有アドレス（アクティブアドレス）と、それ以外の機器の固有アドレス（ノンアクティブアドレス）を全て分類分けする。そして、制御部１０９は、アクティブアドレスに対応する機器のリモコンによる遠隔操作は制限すべきではないと判別し、通信部１０７から制限解除モード設定制御データを送信するように制御する。また、ノンアクティブアドレスに対応する機器のリモコンによる遠隔操作は制限すべきであると判別し、通信部１０７から制限モード設定制御データを送信するように制御する。通信部１０７は、映像出力装置１２１−１２３のうち、アクティブアドレスに対応する機器に対して、リモコン制限解除モードへの設定を指示する制限解除モード設定制御データを送信する。また、ノンアクティブアドレスに対応する機器に対して、リモコン制限モードへの設定を指示する制限モード設定制御データを送信する。
【００５１】
具体的には、通信部１０７は、ＵＳＢトークンパケットのＡＤＤＲフィールドにアクティブアドレスを格納し、ＤＡＴＡフィールドに制限解除モード設定制御データ“ＣＨＳＴ＿ＡＣＴＩＶＥ”を格納してデータ送信を行う。また、ＵＳＢトークンパケットのＡＤＤＲフィールドにノンアクティブアドレスを格納し、ＤＡＴＡフィールドに、制限モード設定制御データ“ＣＨＳＴ＿ＮＯＮ＿ＡＣＴＩＶＥ”を格納してデータ送信をおこなう。なお、ここでは、制限解除モード設定制御データ“ＣＨＳＴ＿ＡＣＴＩＶＥ”、制限モード設定制御指示データ“ＣＨＳＴ＿ＮＯＮ＿ＡＣＴＩＶＥ”をＤＡＴＡフィールドに格納したが、これに限らずビットフィールド等を使用しても良い。
【００５２】
図７は、本発明の実施の形態２の変更例における入力切替時の映像出力装置１２１の動作について説明するためのフローチャートである。ステップＳ７０１で、映像出力装置１２１の通信部１１３は、映像表示装置１０１の通信部１０７から送信されるモード設定制御データ（制限解除モード設定制御データまたは制限モード設定制御データ）を受信したか否かを判別する。具体的には、ＤＡＴＡフィールドにモード設定制御データが格納されたＵＳＢパケットを受信したか否かを判別する。モード設定制御データを受信した場合は、受信したモード設定制御データを制御部１１６に伝達し、ステップＳ５０１からステップＳ５０２に進む。
【００５３】
ステップＳ７０２で、制御部１１６は、受信したモード設定制御データを解析し、制限解除モード設定制御データ“ＣＨＳＴ＿ＡＣＴＩＶＥ”であるか否かを判別する。制限解除モード設定制御コマンドであると判別された場合は、ステップＳ７０２からステップＳ７０３に進み、制御部１１６は、モード設定部１１５の設定モードをリモコン制限解除モードにする。制限解除モード設定制御データでないと判別された場合は、ステップＳ７０２からステップＳ７０４に進み、制御部１１６は、モード設定部１１５の設定モードをリモコン制限モードにする。
【００５４】
したがって、この実施の形態２の変更例では、実施の形態１と同様に映像表示装置に接続された映像出力装置のリモコンが誤って操作された場合に、映像出力装置の動作を制限することにより、映像出力装置が意図しない動作をするのを防ぐことが可能となる。
【符号の説明】
【００５５】
１０１  映像表示装置
１０２，１１０  受信部
１０３  分離／復号部
１０４  出力部
１０５  表示部
１０６  表示機器判別部
１０７，１１３  通信部
１０８，１１４  リモコン受信部
１０９，１１６  制御部
１１１  コーデック部
１１２  記録部
１１５  モード設定部
１２１，１２２，１２３  映像出力装置
１３１，１３２  リモコン
１４１，１４２  メモリ
【図１】
2010283749.tif 000003
【図２】
2010283749.tif 000004
【図３】
2010283749.tif 000005
【図４】
2010283749.tif 000006
【図５】
2010283749.tif 000007
【図６】
2010283749.tif 000008
【図７】
2010283749.tif 000009